(57)【特許請求の範囲】
【請求項１】
複数の原稿を読み取る読取手段と、
前記読取手段による読取画像データから、不正コピーを禁止もしくは流通経路の追跡を可能にすべく原稿に埋め込まれている既存の特殊画像データを当該原稿毎に検出する検出手段と、
前記読取画像データに新しい特殊画像データを付加する特殊画像データ処理手段と、
前記新しい特殊画像データが付加された前記読取画像データに基づく画像を出力用紙に形成する出力手段と、
前記検出手段によって検出された前記既存の特殊画像データに含まれる情報であって当該既存の特殊画像データが埋め込まれた原稿のコピー自体が禁止されているか否かを示す情報を基に、当該既存の特殊画像データが埋め込まれた原稿のコピーが禁止されているか否かを判断する判断手段と、
前記複数の原稿に対する前記新しい特殊画像データを付加するコピー処理を行うジョブの実行を制御する制御手段と
を備え、
前記制御手段は、
前記判断手段により当該既存の特殊画像データが埋め込まれた原稿のコピーが禁止されていると判断された場合は、前記検出手段によって前記既存の特殊画像データが検出された原稿以降の原稿に対する前記特殊画像データ処理手段によって前記新しい特殊画像データを付加する前記コピー処理を行うジョブの実行を中止する制御を行い、
当該既存の特殊画像データが埋め込まれた原稿のコピーが禁止されていないと判断された場合は、
前記検出手段によって前記既存の特殊画像データが検出された原稿に対しては、前記コピー処理を行うジョブの実行をスキップするよう制御を行い、
前記検出手段によって前記既存の特殊画像データが検出されない原稿に対しては、前記新しい特殊画像データを読取画像データに付加し、前記出力手段により画像形成を実行するよう制御を行う
画像形成装置。
【請求項２】
前記制御手段は、前記判断手段により当該既存の特殊画像データが埋め込まれた原稿のコピーが禁止されていないと判断された場合は、前記既存の特殊画像データが施されている原稿上のエリアと前記新しい特殊画像データを最低限形成可能な余白サイズとの合成エリアのサイズが、前記出力用紙のサイズ以下の場合は、そのサイズ差によって生じる余白エリアに前記新しい特殊画像データを埋め込む制御を行う
ことを特徴とする請求項１記載の画像形成装置。
【請求項３】
前記制御手段は、前記合成エリアのサイズが前記出力用紙のサイズよりも大きい場合は、前記読取手段の読取対象の原稿画像を縮小する、もしくは前記出力用紙のサイズを大きいサイズに変更し、その画像縮小もしくはサイズ変更によって生じる余白エリアに前記新しい特殊画像データを埋め込む制御を行う
ことを特徴とする請求項２記載の画像形成装置。
【請求項４】
前記制御手段は、前記判断手段により当該既存の特殊画像データが埋め込まれた原稿のコピーが禁止されていないと判断された場合は、前記読取画像データからオリジナル原稿データと前記既存の特殊画像データとを切り離して当該特殊画像データを取り除き、この既存の特殊画像データを前記新しい特殊画像データにマージもしくは内容を書き換えて埋め込む制御を行う
ことを特徴とする請求項１記載の画像形成装置。
【請求項５】
複数の原稿からの読取画像データから、不正コピーを禁止もしくは流通経路の追跡を可能にすべく原稿に埋め込まれている既存の特殊画像データを当該原稿毎に検出する検出ステップと、
前記読取画像データに新しい特殊画像データを付加する特殊画像データ処理ステップと、
前記新しい特殊画像データが付加された前記読取画像データに基づく画像を出力用紙に形成する出力ステップと、
前記検出手段によって検出された前記既存の特殊画像データに含まれる情報であって当該既存の特殊画像データが埋め込まれた原稿のコピー自体が禁止されているか否かを示す情報を基に、当該既存の特殊画像データが埋め込まれた原稿のコピーが禁止されているか否かを判断する判断ステップと、
前記複数の原稿に対する前記新しい特殊画像データを付加するコピー処理を行うジョブの実行を制御する制御ステップと
を画像形成装置に実行させ、
前記制御ステップは、
当該既存の特殊画像データが埋め込まれた原稿のコピーが禁止されていると判断された場合は、前記既存の特殊画像データが検出された原稿以降の原稿に対する前記新しい特殊画像データを付加する前記コピー処理を行うジョブの実行を中止する制御を行い、
当該既存の特殊画像データが埋め込まれた原稿のコピーが禁止されていないと判断された場合は、
前記既存の特殊画像データが検出された原稿に対しては前記コピー処理を行うジョブの実行をスキップするよう制御を行い、
前記既存の特殊画像データが検出されない原稿に対しては前記新しい特殊画像データを読取画像データに付加し、前記出力手段により画像形成を実行するよう制御を行う
画像形成プログラム。
【発明の詳細な説明】
【技術分野】
【０００１】
本発明は、画像形成装置および画像形成方法に関し、特に不正コピーを禁止もしくは追跡可能な特殊画像データを原稿に埋め込んだり、また原稿に埋め込まれた特殊画像データを検出したりすることが可能な画像形成装置および画像形成プログラムに関する。
【背景技術】
【０００２】
複写機等の画像形成装置において、機密文書等の不正コピーを防止するために、コピーによる偽造が禁止されている原稿をコピーする際に、出力されたプリント用紙の流通経路の追跡が可能な特殊画像データを文書データに付加する技術が確立されている（例えば、特許文献１参照）。
【０００３】
具体的には、不正コピーを禁止、もしくは追跡可能な特殊画像データを原稿に埋め込み（付加）、その出力されたプリント用紙を次回原稿として再配布しようとしたときに、その原稿を読み取って得た画像データ中から特殊画像データを検出した時点でコピーを禁止するようにしている。
【０００４】
【特許文献１】特開２００１−３４６０３２号公報
【発明の開示】
【発明が解決しようとする課題】
【０００５】
しかしながら、上記従来技術では、原稿にコピー可能な情報が埋め込まれていて、その原稿をコピーするときに、不正コピーを禁止もしくは追跡可能な特殊画像データを埋め込む設定がなされていると、当該特殊画像データを上書きしてしまうことになるために、そのプリント用紙をさらに原稿として扱う際に、特殊画像データの解析精度が落ちてしまうという課題があった。
【０００６】
本発明は、上記課題に鑑みてなされたものであって、その目的とするところは、不正コピーを禁止もしくは追跡可能な特殊画像データが施された原稿をコピーする際に、特殊画像データが多重に施されて解析精度が低下するのを回避可能な画像形成装置および画像形成方法を提供することにある。
【課題を解決するための手段】
【０００７】
上記目的を達成するために、本発明では、原稿からの読取画像データから、不正コピーを禁止もしくは流通経路の追跡を可能にすべく前記原稿に埋め込まれている既存の特殊画像データを検出し、この検出した既存の特殊画像データに、当該既存の特殊画像データが埋め込まれた原稿のコピー自体を禁止する情報が含まれているときに、前記読取画像データに新しい特殊画像データを付加するジョブの実行を中止する制御を行う構成を採っている。
【０００８】
原稿をスキャンした際に、当該原稿に埋め込まれている特殊画像データを検出したら、当該特殊画像データを含む読取画像データに対して新しい特殊画像データを埋め込むジョブの実行を中止することで、原稿をコピーするときに、新しい特殊画像データを埋め込む設定がなされていても、当該新しい特殊画像データを既存の特殊画像データに上書きするのを防止できる。
【発明の効果】
【０００９】
本発明によれば、新しい特殊画像データを既存の特殊画像データに上書きするのを防止できるために、特殊画像データが多重に施されて当該特殊画像データの解析精度が低下するのを回避できる。
【発明を実施するための最良の形態】
【００１０】
以下、本発明の実施の形態について図面を参照して詳細に説明する。
【００１１】
図１は、本発明の一実施形態に係る画像形成装置における制御系の構成の概略を示すブロック図である。
【００１２】
図１に示すように、本実施形態に係る画像形成装置は、システム制御部１１、画像読取部１２、画像蓄積部１３、画像処理部１４、画像出力部１５、ＦＡＸ部１６、特殊画像データ解析部１７、特殊画像データ処理部１８、記憶部１９および操作／表示部２０等を備え、これらがバスライン２１を介して相互に通信可能な構成となっている。
【００１３】
システム制御部１１は、例えばマイクロコンピュータからなり、本画像形成装置のシステム全体の制御を行う。画像読取部１２は、イメージセンサからなるスキャナであり、原稿画像を所定の解像度で読み取ってその画像データを入力する。画像蓄積部１３は画像メモリであり、画像読取部１２で読み込まれた画像データや、ＦＡＸ部１６で受信された画像データを蓄積（記憶）する。
【００１４】
画像処理部１４は、画像読取部１２により読み込まれた画像データに対して所定の画像処理、例えば符号化、復号化、拡大／縮小等の処理を行う。画像出力部１５は、画像処理部１４で処理された画像データに基づく画像を出力用紙に所定の解像度で印刷（形成）する。ＦＡＸ部１６は、ＰＳＴＮ網やＩＳＤＮ網等の公衆回線網を介してファクシミリ通信を行う。
【００１５】
特殊画像データ解析部１７は、画像蓄積部１３に蓄積された画像データおよび当該画像データに付加された特殊画像データ情報の内容および原稿上の領域を解釈し、その解釈結果に基づく実行要求をシステム制御部１１に対して行う。
【００１６】
ここに、特殊画像データ情報とは、不正コピーを禁止、もしくは追跡可能にするために画像データに付加される情報である。この特殊画像データを付加することにより、機密文書等の不正コピーを防止することができ、また出力されたプリント用紙の流通経路を追跡することができる。また、特殊画像データ情報には、原稿のコピー自体を禁止するか否かを示す情報や、機種番号等の画像形成装置固有の情報なども含まれている。
【００１７】
特殊画像データ処理部１８は、画像処理部１４にて画像処理された画像データに対し、システム制御部１１から指定された内容を基に、コピーによる偽造が禁止されている原稿をコピーする際に画像データに付加する特殊画像データを作成し、当該特殊画像データを原稿に埋め込む制御を行う。
【００１８】
記憶部１９はＲＡＭ等のメモリからなり、システムデータや各種設定情報を記憶する。特殊画像データ解析部１７を検出した場合の動作種別などは記憶部１９に記憶される。操作／表示部２０は、ユーザが操作する操作パネルであり、本画像形成装置を操作する各種の操作キーやディスプレイを備えている。
【００１９】
上記構成の画像形成装置は例えば複写機であり、不正コピーを禁止、もしくは追跡可能な特殊画像データを原稿に埋め込み、また原稿に埋め込まれた特殊画像データを検出することが可能となっている。この画像形成装置において、本発明では、特殊画像データが施された原稿をコピーする際に、特殊画像データを上書きしてしまわないようにすることを目的とし、この目的を達成するために、以下に具体的に説明する実施例１〜３に係る画像形成の処理手順を採っている。
【００２０】
（実施例１）
図２は、本発明の実施例１に係る画像形成の処理手順を示すフローチャートである。この処理は、基本的に、システム制御部１１による制御の下に実行される。
【００２１】
先ず、画像読取部１２により原稿を読み取り（ステップＳ１１）、その読み取った画像データを基に当該原稿に、不正コピーを禁止もしくは追跡可能な特殊画像データが埋め込まれているか否かを判断する（ステップＳ１２）。ここで、特殊画像データには、先述したように、原稿のコピー自体が禁止されているか否かを示す情報も含まれている。
【００２２】
したがって、ステップＳ１２では、特殊画像データが埋め込まれていない、特殊画像データが埋め込まれているが、コピー自体が禁止されている（即ち、ジョブ不可）、特殊画像データが埋め込まれていて、コピー自体も禁止されていない（即ち、ジョブ可）の３通りの判断処理が行われる。
【００２３】
そして、ステップＳ１２の判断処理において、特殊画像データが埋め込まれていない場合には、特殊画像データ処理部１８で作成された新しい特殊画像データを読取画像データに付加し、画像出力部１４で出力用紙に画像形成し（ステップＳ１３）、次いでその原稿が最終原稿であるかを判断し（ステップＳ１４）、最終原稿出なければ、ステップＳＳ１１に戻って最終原稿まで一連の処理を繰り返して実行する。
【００２４】
ステップＳ１２の判断処理において、ジョブ不可であれば、即ちコピー自体が禁止されているのであれば、ジョブを中止する処理を実行し（ステップＳ１５）、一連の処理を終了する。すなわち、例えば図３に示すように、４枚の原稿中の３枚目に特殊画像データが埋め込まれており、これら混在原稿を自動原稿送り装置を用いて連続してコピーを行う場合に、１枚目、２枚目の原稿に対しては特殊画像データを埋め込むコピー処理が行われ、特殊画像データありの原稿、即ち３枚目の原稿を検出した時点で、当該特殊画像データにジョブ不可の情報が含まれていれば、３枚目以降のジョブについて中止処理を行う（パターンＡ）。
【００２５】
一方、ステップＳ１２の判断処理において、ジョブ可であれば、即ちコピー自体が禁止されていないのであれば、動作設定の内容が「スキップ」であるか、「ジョブ中止」であるか、「上書き」であるかを判断する（ステップＳ１６）。動作設定の内容は、操作／表示部２０においてユーザによって設定される。
【００２６】
動作設定の内容が「スキップ」であれば、原稿から画像読取部１２で読み取った画像データを破棄し（ステップＳ１７）、しかる後ステップＳ１４に移行する。すなわち、図３において、特殊画像データが埋め込まれている３枚目の原稿を検出した時点で、当該特殊画像データにジョブ可の情報が含まれていれば、３枚目の原稿をスキップして４枚目の原稿に進み、４枚目の原稿に対して特殊画像データの埋め込みが行われる（パターンＢ）。
【００２７】
動作設定の内容が「ジョブ中止」であれば、ジョブを中止する処理を実行し（ステップＳ１８）、一連の処理を終了する。動作設定の内容が「上書き」であれば、ステップＳ１３に移行し、特殊画像データを含む読取画像データに、特殊画像データ処理部１８で作成した新しい特殊画像データを付加（上書き）し、画像出力部１５で出力用紙に画像形成する。すなわち、図３において、特殊画像データが埋め込まれている３枚目の原稿に対しても新たな特殊画像データが強制的に上書きされる（パターンＣ）。
【００２８】
上述したように、原稿をスキャンした際に、当該原稿に埋め込まれている特殊画像データを検出したら、当該特殊画像データを含む読取画像データに対して新しい特殊画像データを埋め込むジョブをキャンセルすることで、原稿をコピーするときに、新しい特殊画像データを埋め込む設定がなされていても、当該新しい特殊画像データを既存の特殊画像データに上書きするのを防止できるために、特殊画像データが多重に施されて当該特殊画像データの解析精度が低下するのを回避できる。
【００２９】
また、特殊画像データが埋め込まれている原稿についてはスキップし、特殊画像データが埋め込まれていない原稿についてのみ読取画像データに対して新しい特殊画像データを埋め込むジョブを実行することで、特殊画像データが埋め込まれている原稿に対して新しい特殊画像データを上書きするのを防止できるとともに、他の原稿に対しては新しい特殊画像データを埋め込むことができる。
【００３０】
なお、あらかじめ設定された情報、もしくは操作／表示部２０からのユーザ指示によって、特殊画像データが埋め込まれている原稿に対してジョブを実行する、即ち新しい特殊画像データを上書きするパターンＣを選択することも可能である。
【００３１】
（実施例２）
図４は、本発明の実施例２に係る画像形成の処理手順を示すフローチャートである。この処理は、基本的に、システム制御部１１による制御の下に実行される。
【００３２】
先ず、画像読取部１２により原稿を読み取り（ステップＳ２１）、その読み取った画像データを基に当該原稿に、不正コピーを禁止もしくは追跡可能な特殊画像データが埋め込まれているか否かを判断する（ステップＳ２２）。ここで、特殊画像データには、先述したように、原稿のコピー自体が禁止されているか否かを示す情報も含まれている。
【００３３】
したがって、ステップＳ２２では、特殊画像データが埋め込まれていない、特殊画像データが埋め込まれているが、コピー自体が禁止されている（即ち、ジョブ不可）、特殊画像データが埋め込まれていて、コピー自体も禁止されていない（即ち、ジョブ可）の３通りの判断処理が行われる。
【００３４】
そして、ステップＳ２２の判断処理において、特殊画像データが埋め込まれていない場合には、特殊画像データ処理部１８で作成した新しい特殊画像データを読取画像データに付加し、画像出力部１５で出力用紙に画像形成し（ステップＳ２３）、次いでその原稿が最終原稿であるかを判断し（ステップＳ２４）、最終原稿出なければ、ステップＳＳ２１に戻って最終原稿まで一連の処理を繰り返して実行する。
【００３５】
ステップＳ２２の判断処理において、ジョブ不可であれば、即ちコピー自体が禁止されているのであれば、ジョブを中止する処理を実行し（ステップＳ２５）、一連の処理を終了する。この処理は、実施例１におけるステップＳ１５の処理と同じである。すなわち、特殊画像データありの原稿のジョブについて中止処理を行う。
【００３６】
一方、ステップＳ２２の判断処理において、ジョブ可であれば、即ちコピー自体が禁止されていないのであれば、特殊画像データ解析部１７で特殊画像データを解析することによって原稿上の特殊画像データが施されている（埋め込まれている）エリアを検出し（ステップＳ２６）、次いでこの検出したエリアと新たな特殊画像データを最低限印刷可能な余白エリアとを合わせた合成エリアのサイズと、ユーザによって指定された出力サイズ、即ち出力用紙のサイズとを比較する（ステップＳ２７）。
【００３７】
そして、合成エリアのサイズが出力サイズ以下の場合は、そのサイズの違いによって生じる余白エリアに、特殊画像データ処理部１８で作成した新しい特殊画像データを読取画像データに付加し、画像出力部１５で出力用紙に画像形成し（ステップＳ２４）、しかる後ステップＳ２４に移行する。すなわち、図５において、特殊画像データが埋め込まれている原稿で、出力用紙のサイズが原稿サイズ以上の場合は、そのサイズの違いによって生じる余白エリアに特殊画像データを付加して出力する（パターンＡ）。
【００３８】
一方、合成エリアのサイズが出力サイズよりも大きい場合には、動作設定の内容が「縮小」であるか、「サイズ変更」であるかを判断する（ステップＳ２９）。動作設定の内容は、操作／表示部２０においてユーザによって設定される。なお、動作設定の内容を画像形成装置自体が設定するようにすることも可能である。
【００３９】
動作設定の内容が「縮小」であれば、原稿画像を縮小し（ステップＳ３０）、しかる後ステップＳ２８に以降して、画像縮小によって生じた余白エリアに、特殊画像データ処理部１８で作成した新しい特殊画像データを読取画像データに付加し、画像出力部１５で出力用紙に画像形成する。
【００４０】
動作設定の内容が「サイズ変更」であれば、出力用紙のサイズをそれまでよりも大きいサイズに変更し（ステップＳ２９）、しかる後サイズ変更によって生じた余白エリアに、特殊画像データ処理部１８で作成した新しい特殊画像データを読取画像データに付加し、画像出力部１５で出力用紙に画像形成する。
【００４１】
すなわち、図５において、特殊画像データが埋め込まれている原稿で、出力用紙のサイズが原稿サイズよりも小さい場合、即ち余白が小さいもしくは余白が無い場合は、画像縮小またはサイズ変更によって生じた余白エリアに特殊画像データを付加して出力する（パターンＢ）。
【００４２】
上述したように、原稿をスキャンした際に、当該原稿に埋め込まれている特殊画像データを検出し、出力用紙のサイズが原稿サイズ以上の場合には、そのサイズの違いによって生じる余白エリアに新しい特殊画像データを付加して出力することで、原稿をコピーするときに、新しい特殊画像データを既存の特殊画像データに上書きすることなく、出力用紙に埋め込むことができる。その結果、特殊画像データが多重に施されて当該特殊画像データの解析精度が低下するのを回避できる。
【００４３】
また、出力用紙のサイズが原稿サイズよりも小さい場合には、原稿画像を縮小する処理あるいは出力用紙のサイズを大きいサイズに変更する処理を行い、画像縮小またはサイズ変更によって生じた余白エリアに新しい特殊画像データを付加して出力することによっても、新しい特殊画像データを既存の特殊画像データに上書きすることなく、出力用紙に埋め込むことができる。
【００４４】
（実施例３）
図６は、本発明の実施例３に係る画像形成の処理手順を示すフローチャートである。この処理は、基本的に、システム制御部１１による制御の下に実行される。
【００４５】
先ず、画像読取部１２により原稿を読み取り（ステップＳ４１）、その読み取った画像データを基に当該原稿に、不正コピーを禁止もしくは追跡可能な特殊画像データが埋め込まれているか否かを判断する（ステップＳ４２）。ここで、特殊画像データには、先述したように、原稿のコピー自体が禁止されているか否かを示す情報も含まれている。
【００４６】
したがって、ステップＳ４２では、特殊画像データが埋め込まれていない、特殊画像データが埋め込まれているが、コピー自体が禁止されている（即ち、ジョブ不可）、特殊画像データが埋め込まれていて、コピー自体も禁止されていない（即ち、ジョブ可）の３通りの判断処理が行われる。
【００４７】
そして、ステップＳ４２の判断処理において、特殊画像データが埋め込まれていない場合には、特殊画像データ処理部１８で作成した新しい特殊画像データを読取画像データに付加し、画像出力部１５で出力用紙に画像形成し（ステップＳ４３）、次いでその原稿が最終原稿であるかを判断し（ステップＳ４４）、最終原稿出なければ、ステップＳＳ４１に戻って最終原稿まで一連の処理を繰り返して実行する。
【００４８】
ステップＳ４２の判断処理において、ジョブ不可であれば、即ちコピー自体が禁止されているのであれば、ジョブを中止する処理を実行し（ステップＳ４５）、一連の処理を終了する。この処理は、実施例１におけるステップＳ１５の処理と同じである。すなわち、特殊画像データありの原稿のジョブについて中止処理を行う。
【００４９】
一方、ステップＳ４２の判断処理において、ジョブ可であれば、即ちコピー自体が禁止されていないのであれば、特殊画像データ解析部１７で特殊画像データの内容解析を行い（ステップＳ４６）、次いでその解析結果を基に特殊画像データの内容が、特殊画像データ処理部１８で作成した新しい特殊画像データとマージ可能であるか否かを判断する（ステップＳ４７）。
【００５０】
そして、マージ可能であれば、画像読取部１２で読み取った画像データから、文字や写真などのオリジナル原稿データと、検出した特殊画像データとを切り離して当該特殊画像データを取り除き（ステップＳ４８）、次いでこの取り除いた既存の特殊画像データを特殊画像データ処理部１８で新しい特殊画像データにマージ、もしくは抽出した特殊画像データの内容を新しい特殊画像データを基に置き換え（ステップＳ４９）、しかる後ステップＳ４３に移行し、マージまたは内容の書き換えによって新たに作成された特殊画像データを、既存の特殊画像データが取り除かれた読取画像データに付加し、画像出力部１５で出力用紙に画像形成する。
【００５１】
すなわち、図７において、特殊画像データが埋め込まれている原稿で、特殊画像データのマージが可能な場合は、読取画像データからオリジナル原稿データと既存の特殊画像データとを切り離して当該特殊画像データを取り除き、この既存の特殊画像データを新しい特殊画像データにマージ、もしくは抽出した特殊画像データの内容を置き換え、このマージもしくは書き換えによる特殊画像データを埋め込んで出力する。
【００５２】
一方、マージが不可能であれば、余白エリアに特殊画像データを付加して出力する処理を行い（ステップＳ５０）、しかる後ステップＳ４３に移行する。ステップＳ５０の処理は、実施例２におけるステップＳ２６〜Ｓ３１の処理と同じである。すなわち、出力用紙のサイズが原稿サイズよりも大きい場合は、余白エリアに特殊画像データを付加して出力し、出力用紙のサイズが原稿サイズ以下の場合は、画像縮小またはサイズ変更によって生じた余白エリアに特殊画像データを付加して出力する。
【００５３】
上述したように、原稿をスキャンした際に、当該原稿に埋め込まれている特殊画像データの内容を解析し、特殊画像データの内容が新しい特殊画像データとマージ可能である場合は、読取画像データからオリジナル原稿データと既存の特殊画像データとを切り離して当該特殊画像データを取り除き、この既存の特殊画像データを、埋め込もうとしている新しい特殊画像データにマージもしくは内容を書き換えて出力時に埋め込むことで、原稿をコピーするときに、新しい特殊画像データを既存の特殊画像データに上書きすることなく、出力用紙に埋め込むことができる。その結果、特殊画像データが多重に施されて当該特殊画像データの解析精度が低下するのを回避できる。
【００５４】
なお、上記実施形態は本発明を実現する一例に過ぎず、これに限られるものではない。例えば、新しい特殊画像データを付加するジョブの実行をスキップする処理や中止する処理の一部、もしくは全てを組み合わせて、利用者があらかじめ本画像形成装置に設定したり、あるいは、ジョブ中に操作／表示部２０上でユーザが設定したりして、その設定を機械が判別してその判別結果に応じた処理を行うようにすることも可能である。また、この機械設定を、あらかじめ本画像形成装置に利用者登録しておき、その利用者のレベル（機械管理者、一般ユーザ等）に応じて、設定内容を変更できるようにしたり、あるいは利用者のレベルに応じて、設定された内容をジョブ中に解除や変更可能にしたりすることも可能である。
【００５５】
また、上記実施形態では、コピー機能を持つ画像形成装置に適用した場合を例に挙げて説明したが、スキャン機能のみ、あるいはファクシミリ機能を持つ画像形成装置にも同様に適用可能である。また、あらかじめ設定できる処理方法については、ジョブの種類ごとに設けるようにしても良い。
【図面の簡単な説明】
【００５６】
【図１】本発明の一実施形態に係る画像形成装置における制御系の構成の概略を示すブロック図である。
【図２】本発明の実施例１に係る画像形成の処理手順を示すフローチャートである。
【図３】実施例１に係る画像形成の処理の説明図である。
【図４】本発明の実施例２に係る画像形成の処理手順を示すフローチャートである。
【図５】実施例２に係る画像形成の処理の説明図である。
【図６】本発明の実施例３に係る画像形成の処理手順を示すフローチャートである。
【図７】実施例３に係る画像形成の処理の説明図である。
【符号の説明】
【００５７】
１１…システム制御部、１２…画像読取部、１３…画像蓄積部、１４…画像処理部、１５…画像出力部、１６…ＦＡＸ部、１７…特殊画像データ解析部、１８…特殊画像データ処理部、１９…記憶部、２０…操作／表示部、２１…バスライン
【図１】
0004645385.tif 000002
【図２】
0004645385.tif 000003
【図３】
0004645385.tif 000004
【図４】
0004645385.tif 000005
【図５】
0004645385.tif 000006
【図６】
0004645385.tif 000007
【図７】
0004645385.tif 000008